(57)【要約】      （修正有）【課題】操作画面上で表示領域を占有せずに、操作手順に沿った自然な流れで操作をガイドすることができる医用画像診断装置及び磁気共鳴イメージング装置を提供する。【解決手段】医用画像診断装置は、受付部と、ガイド部とを備える。受付部は、操作画面２００を表示して操作者から操作を受け付ける。ガイド部は、操作画面を介して行われる一連の操作の操作手順に従って、操作手順に含まれる個別の操作をガイドする操作ガイド情報を操作画面のレイアウトに応じた位置に順次表示する。【選択図】図３
2019005470.tif 000002
【特許請求の範囲】
【請求項１】
操作画面を表示して操作者から操作を受け付ける受付部と、
前記操作画面を介して行われる一連の操作の操作手順に従って、当該操作手順に含まれる個別の操作をガイドする操作ガイド情報を前記操作画面のレイアウトに応じた位置に順次表示するガイド部と
を備える、医用画像診断装置。
【請求項２】
前記ガイド部は、前記操作手順に含まれる個別の操作が行われるごとに、当該操作手順に関連する設定内容を特定し、特定した設定内容に応じて、前記操作ガイド情報の内容を変更する、
請求項１に記載の医用画像診断装置。
【請求項３】
前記ガイド部は、前記操作者が所望する操作を含む操作手順が複数ある場合に、当該操作に到達するまでの手順数が最も少ない操作手順に誘導する操作ガイド情報を表示する、
請求項１又は２に記載の医用画像診断装置。
【請求項４】
前記受付部は、前記操作者の要求に応じて前記操作画面のレイアウトを変更し、
前記ガイド部は、前記レイアウトに応じて、前記操作ガイド情報を表示する位置を変える、
請求項１、２又は３に記載の医用画像診断装置。
【請求項５】
前記ガイド部は、前記操作手順に従った操作の進行状況を特定し、当該進行状況に応じて、当該操作手順に含まれる一連の操作の途中からガイドを開始するように、前記操作ガイド情報を表示する、
請求項１〜４のいずれか一つに記載の医用画像診断装置。
【請求項６】
前記ガイド部は、前記操作画面に対する前記操作者による操作を妨げないように、前記操作ガイド情報を表示する位置を動的に変える、
請求項１〜５のいずれか一つに記載の医用画像診断装置。
【請求項７】
前記受付部は、前記操作画面内に被検体の複数の画像を表示し、当該複数の画像のうちの一つの画像に対する操作に応じて他の画像の表示を変更し、
前記ガイド部は、前記複数の画像それぞれに対して行われる操作の操作手順を示す操作ガイド情報を表示する、
請求項１〜６のいずれか一つに記載の医用画像診断装置。
【請求項８】
前記受付部は、前記一つの画像に対する操作として、複数の操作を受け付け、
前記ガイド部は、前記複数の画像それぞれに対して行われる操作の操作手順に関する操作ガイド情報と、前記一つの画像に対して行われる複数の操作の操作手順に関する操作ガイド情報とを切り替えて表示する、
請求項７に記載の医用画像診断装置。
【請求項９】
被検体が配置される架台と、
前記架台から離れて配置されたコンソールと
をさらに備え、
前記ガイド部は、前記架台側で行われる操作に関する操作ガイド情報を前記架台のディスプレイに表示し、前記コンソール側で行われる操作に関する操作ガイド情報を前記コンソールのディスプレイに表示する、
請求項１〜８のいずれか一つに記載の医用画像診断装置。
【請求項１０】
操作画面を表示して操作者から操作を受け付ける受付部と、
前記操作画面を介して行われる一連の操作の操作手順に従って、当該操作手順に含まれる個別の操作をガイドする操作ガイド情報を前記操作画面のレイアウトに応じた位置に順次表示するガイド部と
を備える、磁気共鳴イメージング装置。
【発明の詳細な説明】
【技術分野】
【０００１】
本発明の実施形態は、医用画像診断装置及び磁気共鳴イメージング装置に関する。
【背景技術】
【０００２】
従来、一般的に、磁気共鳴イメージング装置やＸ線ＣＴ（Computed  Tomography）装置等の医用画像診断装置は、被検体の撮像を行うための各種の機能を備えるため、操作が難しい。そのため、医用画像診断装置を使い慣れていない操作者向けに、操作画面上に操作手順を表示する技術が知られている。
【先行技術文献】
【特許文献】
【０００３】
【特許文献１】特開２０１０−１１５４７８号公報
【特許文献１】特開２００３−１７５０３９号公報
【発明の概要】
【発明が解決しようとする課題】
【０００４】
本発明が解決しようとする課題は、操作画面上で表示領域を占有せずに、操作手順に沿った自然な流れで操作をガイドすることができる医用画像診断装置及び磁気共鳴イメージング装置を提供することである。
【課題を解決するための手段】
【０００５】
実施形態に係る医用画像診断装置は、受付部と、ガイド部とを備える。受付部は、操作画面を表示して操作者から操作を受け付ける。ガイド部は、前記操作画面を介して行われる一連の操作の操作手順に従って、当該操作手順に含まれる個別の操作をガイドする操作ガイド情報を前記操作画面のレイアウトに応じた位置に順次表示する。
【図面の簡単な説明】
【０００６】
【図１】図１は、本実施形態に係るＭＲＩ装置の構成例を示す図である。
【図２】図２は、本実施形態に係るＭＲＩ装置によって行われる操作ガイドの処理手順を示すフローチャートである。
【図３】図３は、実施例１に係る受付機能によって表示される操作画面及びガイド機能によって行われる操作ガイドの一例を示す図である。
【図４】図４は、実施例１に係る受付機能によって表示される操作画面及びガイド機能によって行われる操作ガイドの一例を示す図である。
【図５】図５は、実施例１に係る受付機能によって表示される操作画面及びガイド機能によって行われる操作ガイドの一例を示す図である。
【図６】図６は、実施例１に係る受付機能によって表示される操作画面及びガイド機能によって行われる操作ガイドの一例を示す図である。
【図７】図７は、実施例１に係る受付機能によって表示される操作画面及びガイド機能によって行われる操作ガイドの一例を示す図である。
【図８】図８は、実施例１に係る受付機能によって表示されるフローティングウィンドウ及びガイド機能によって行われる操作ガイドの一例を示す図である。
【図９】図９は、実施例１に係る受付機能によって表示されるフローティングウィンドウ及びガイド機能によって行われる操作ガイドの他の例を示す図である。
【図１０】図１０は、実施例２に係る受付機能によって表示される操作画面及びガイド機能によって行われる操作ガイドの一例を示す図である。
【図１１】図１１は、実施例３に係る受付機能によって表示されるフローティングウィンドウ及びガイド機能によって行われる操作ガイドの一例を示す図である。
【図１２】図１２は、実施例４に係る受付機能によって表示される操作画面及びガイド機能によって行われる操作ガイドの一例を示す図である。
【図１３】図１３は、実施例４に係る受付機能によって表示される操作画面及びガイド機能によって行われる操作ガイドの一例を示す図である。
【図１４】図１４は、実施例４に係る受付機能によって表示される操作画面及びガイド機能によって行われる操作ガイドの一例を示す図である。
【発明を実施するための形態】
【０００７】
以下、図面を参照して、医用画像診断装置の実施形態について説明する。なお、以下では、医用画像診断装置の一例として、磁気共鳴イメージング（Magnetic  Resonance  Imaging：ＭＲＩ）装置の実施形態について説明する。
【０００８】
（実施形態）
図１は、本実施形態に係るＭＲＩ装置の構成例を示す図である。例えば、図１に示すように、ＭＲＩ装置１００は、静磁場磁石１、傾斜磁場コイル２、傾斜磁場電源３、送信コイル４、送信回路５、受信コイル６、受信回路７、架台８、寝台９、入力回路１０、ディスプレイ１１、記憶回路１２、及び、処理回路１３〜１６、ＥＣＧ（Electrocardiogram）センサ１７、及びＥＣＧ回路１８を備える。
【０００９】
静磁場磁石１は、中空の略円筒状（円筒の中心軸に直交する断面が楕円状となるものを含む）に形成され、内側の空間に一様な静磁場を発生させる。例えば、静磁場磁石１は、略円筒状に形成された真空容器と、当該真空容器内に充填された冷却液（例えば、液体ヘリウム等）に浸漬された超伝導磁石や常伝導磁石等の磁石とを有しており、真空容器の内側の空間に静磁場を発生させる。
【００１０】
傾斜磁場コイル２は、中空の略円筒状（円筒の中心軸に直交する断面が楕円状となるものを含む）に形成され、静磁場磁石１の内側に配置される。傾斜磁場コイル２は、互いに直交するｘ軸、ｙ軸及びｚ軸それぞれに沿った傾斜磁場を発生させる３つのコイルを備える。ここで、ｘ軸、ｙ軸及びｚ軸は、ＭＲＩ装置１００に固有の装置座標系を構成する。例えば、ｘ軸の方向は、水平方向に設定され、ｙ軸の方向は、鉛直方向に設定される。また、ｚ軸の方向は、静磁場磁石１によって発生する静磁場の磁束の方向と同じに設定される。
【００１１】
傾斜磁場電源３は、傾斜磁場コイル２が備える３つのコイルそれぞれに個別に電流を供給することで、ｘ軸、ｙ軸及びｚ軸それぞれに沿った傾斜磁場を内側の空間に発生させる。ｘ軸、ｙ軸及びｚ軸それぞれに沿った傾斜磁場を適宜に発生させることによって、互いに直交するリードアウト方向、位相エンコード方向、及びスライス方向それぞれに沿った傾斜磁場を発生させることができる。
【００１２】
ここで、リードアウト方向、位相エンコード方向、及びスライス方向それぞれに沿った軸は、撮像の対象となるスライス領域又はボリューム領域を規定するための論理座標系を構成する。なお、以下では、リードアウト方向に沿った傾斜磁場をリードアウト傾斜磁場と呼び、位相エンコード方向に沿った傾斜磁場を位相エンコード傾斜磁場と呼び、スライス方向に沿った傾斜磁場をスライス傾斜磁場と呼ぶ。
【００１３】
そして、各傾斜磁場は、静磁場磁石１によって発生する静磁場に重畳され、磁気共鳴（Magnetic  Resonance：ＭＲ）信号に空間的な位置情報を付与するために用いられる。具体的には、リードアウト傾斜磁場は、リードアウト方向の位置に応じてＭＲ信号の周波数を変化させることで、ＭＲ信号にリードアウト方向に沿った位置情報を付与する。また、位相エンコード傾斜磁場は、位相エンコード方向に沿ってＭＲ信号の位相を変化させることで、ＭＲ信号に位相エンコード方向に沿った位置情報を付与する。また、スライス傾斜磁場は、撮像領域がスライス領域の場合には、スライス領域の方向、厚さ、枚数を決めるために用いられ、撮像領域がボリューム領域である場合には、スライス方向の位置に応じてＭＲ信号の位相を変化させることで、ＭＲ信号にスライス方向に沿った位置情報を付与する。
【００１４】
送信コイル４は、内側の空間に高周波磁場を印加する。具体的には、送信コイル４は、中空の略円筒状（円筒の中心軸に直交する断面が楕円状となるものを含む）に形成され、傾斜磁場コイル２の内側に配置される。そして、送信コイル４は、送信回路５から出力される高周波（Radio  Frequency：ＲＦ）パルスに基づいて、内側の空間に高周波磁場を印加する。
【００１５】
送信回路５は、ラーモア周波数に対応する高周波パルスを送信コイル４に出力する。例えば、送信回路５は、発振回路、位相選択回路、周波数変換回路、振幅変調回路、及び、高周波増幅回路を備える。発振回路は、静磁場中に置かれた対象原子核に固有の共鳴周波数の高周波パルスを発生する。位相選択回路は、発振回路から出力される高周波パルスの位相を選択する。周波数変換回路は、位相選択回路から出力される高周波パルスの周波数を変換する。振幅変調回路は、周波数変換回路から出力される高周波パルスの振幅を例えばｓｉｎｃ関数に従って変調する。高周波増幅回路は、振幅変調回路から出力される高周波パルスを増幅して送信コイル４に出力する。
【００１６】
受信コイル６は、被検体Ｓから発せられるＭＲ信号を受信する。例えば、受信コイル６は、送信コイル４の内側に配置された被検体Ｓに装着され、送信コイル４によって印加される高周波磁場の影響で被検体Ｓから発せられるＭＲ信号を受信する。そして、受信コイル６は、受信したＭＲ信号を受信回路７へ出力する。例えば、受信コイル６には、撮像対象の部位ごとに専用のコイルが用いられる。ここで、専用のコイルとは、例えば、頭部用の受信コイル、頚部用の受信コイル、肩用の受信コイル、胸部用の受信コイル、腹部用の受信コイル、下肢用の受信コイル、脊椎用の受信コイル等である。
【００１７】
受信回路７は、受信コイル６から出力されるＭＲ信号に基づいてＭＲ信号データを生成し、生成したＭＲ信号データを処理回路１４に出力する。例えば、受信回路７は、選択回路、前段増幅回路、位相検波回路、及び、アナログデジタル変換回路を備える。選択回路は、受信コイル６から出力されるＭＲ信号を選択的に入力する。前段増幅回路は、選択回路から出力されるＭＲ信号を増幅する。位相検波回路は、前段増幅回路から出力されるＭＲ信号の位相を検波する。アナログデジタル変換回路は、位相検波回路から出力されるアナログ信号をデジタル信号に変換することでＭＲ信号データを生成し、生成したＭＲ信号データを処理回路１４に出力する。
【００１８】
なお、ここでは、送信コイル４が高周波磁場を印加し、受信コイル６がＭＲ信号を受信する場合の例を説明するが、各高周波コイルの形態はこれに限られない。例えば、送信コイル４が、ＭＲ信号を受信する受信機能をさらに有してもよいし、受信コイル６が、高周波磁場を印加する送信機能をさらに有していてもよい。なお、送信コイル４が受信機能を有している場合は、受信回路７は、送信コイル４によって受信されたＭＲ信号からもＭＲ信号データを生成する。また、受信コイル６が送信機能を有している場合は、送信回路５は、受信コイル６にも高周波パルスを出力する。
【００１９】
架台８は、静磁場磁石１、傾斜磁場コイル２及び送信コイル４を収容する。具体的には、架台８は、円筒状に形成された中空のボアＢを有しており、静磁場磁石１、傾斜磁場コイル２及び送信コイル４がボアＢを囲むように配置された状態で、静磁場磁石１、傾斜磁場コイル２及び送信コイル４それぞれを支持する。ここで、架台８におけるボアＢの内側の空間が、被検体Ｓの撮像が行われる際に被検体Ｓが配置される撮像空間となる。
【００２０】
ここで、架台８は、各種情報及び各種画像を表示するためのディスプレイ８ａを備える。ディスプレイ８ａは、後述する処理回路１６に接続されており、処理回路１６から送られる各種情報及び各種画像のデータを表示用の電気信号に変換して出力する。例えば、ディスプレイ８ａは、液晶モニタやＣＲＴ（Cathode  Ray  Tube）モニタ、タッチパネル等によって実現される。
【００２１】
寝台９は、被検体Ｓが載置される天板９ａを備え、被検体Ｓの撮像が行われる際に、架台８におけるボアＢの内側へ天板９ａを挿入する。例えば、寝台９は、長手方向が静磁場磁石１の中心軸と平行になるように設置される。
【００２２】
入力回路１０は、操作者から各種指示及び各種情報の入力操作を受け付ける。具体的には、入力回路１０は、処理回路１６に接続されており、操作者から受け付けた入力操作を電気信号に変換して処理回路１６へ出力する。例えば、入力回路１０は、トラックボールやスイッチボタン、マウス、キーボード、タッチパネル等によって実現される。
【００２３】
ディスプレイ１１は、各種情報及び各種画像を表示する。具体的には、ディスプレイ１１は、処理回路１６に接続されており、処理回路１６から送られる各種情報及び各種画像のデータを表示用の電気信号に変換して出力する。例えば、ディスプレイ１１は、液晶モニタやＣＲＴ（Cathode  Ray  Tube）モニタ、タッチパネル等によって実現される。
【００２４】
記憶回路１２は、各種データを記憶する。具体的には、記憶回路１２は、ＭＲ信号データや画像データを被検体Ｓごとに記憶する。例えば、記憶回路１２は、ＲＡＭ（Random  Access  Memory）、フラッシュメモリ等の半導体メモリ素子やハードディスク、光ディスク等によって実現される。
【００２５】
処理回路１３は、寝台制御機能１３ａを有する。例えば、処理回路１３は、プロセッサによって実現される。寝台制御機能１３ａは、寝台９に接続され、制御用の電気信号を寝台９へ出力することで、寝台９の動作を制御する。例えば、寝台制御機能１３ａは、入力回路１０を介して、天板９ａを長手方向、上下方向又は左右方向へ移動させる指示を操作者から受け付け、受け付けた指示に従って天板９ａを移動するように、寝台９が有する天板９ａの駆動機構を動作させる。
【００２６】
処理回路１４は、実行機能１４ａを有する。例えば、処理回路１４は、プロセッサによって実現される。実行機能１４ａは、処理回路１６から出力されるシーケンス実行データに基づいて傾斜磁場電源３、送信回路５及び受信回路７を駆動することで、ＭＲ信号データのデータ収集を行う。
【００２７】
ここで、シーケンス実行データは、ＭＲ信号データを収集するための手順を示すパルスシーケンスを定義した情報である。具体的には、シーケンス実行データは、傾斜磁場電源３が傾斜磁場コイル２に電流を供給するタイミング及び供給される電流の強さ、送信回路５が送信コイル４に供給する高周波パルスの強さや供給タイミング、受信回路７がＭＲ信号を検出する検出タイミング等を定義した情報である。
【００２８】
また、実行機能１４ａは、各種パルスシーケンスを実行した結果として、受信回路７からＭＲ信号データを受信し、受信したＭＲ信号データを記憶回路１２に格納する。なお、実行機能１４ａによって受信されたＭＲ信号データの集合は、前述したリードアウト傾斜磁場、位相エンコード傾斜磁場、及びスライス傾斜磁場によって付与された位置情報に応じて２次元又は３次元に配列されることで、ｋ空間を構成するデータとして記憶回路１２に格納される。
【００２９】
処理回路１５は、画像生成機能１５ａを有する。例えば、処理回路１５は、プロセッサによって実現される。画像生成機能１５ａは、記憶回路１２に格納されたＭＲ信号データに基づいて画像を生成する。具体的には、画像生成機能１５ａは、実行機能１４ａによって記憶回路１２に格納されたＭＲ信号データを読み出し、読み出したＭＲ信号データに後処理すなわちフーリエ変換等の再構成処理を施すことで画像を生成する。また、画像生成機能１５ａは、生成した画像の画像データを記憶回路１２に格納する。
【００３０】
処理回路１６は、ＭＲＩ装置１００が有する各構成要素を制御することで、ＭＲＩ装置１００の全体制御を行う。例えば、処理回路１６は、プロセッサによって実現される。例えば、処理回路１６は、入力回路１０を介して操作者から撮像条件（パルスシーケンスに関する各種のパラメータの入力等）を受け付け、受け付けた撮像条件に基づいてシーケンス実行データを生成する。そして、処理回路１６は、生成したシーケンス実行データを処理回路１４に送信することで、ＭＲ信号データのデータ収集を制御する。また、例えば、処理回路１６は、操作者から要求された画像の画像データを記憶回路１２から読み出し、読み出した画像をディスプレイ１１に出力する。
【００３１】
なお、ＭＲＩ装置１００は、コンソール２０を備えており、上述した入力回路１０、ディスプレイ１１、記憶回路１２、及び処理回路１６が、コンソール２０に含まれる。ここで、コンソール２０は、架台８から離れて配置される。例えば、架台８は撮影室（シールドルーム）に配置され、コンソール２０は操作室に配置される。なお、コンソール２０は、処理回路１３〜１５のうちのいずれか一つ又は複数をさらに含んでいてもよい。
【００３２】
ＥＣＧセンサ１７は、被検体Ｓの体表に装着され、被検体Ｓの心電信号を検出する。そして、ＥＣＧセンサ１７は、検出した心電信号をＥＣＧ回路１８に出力する。
【００３３】
ＥＣＧ回路１８は、ＥＣＧセンサ１７から出力される心電信号に基づいて、所定の心電波形を検出する。例えば、ＥＣＧ回路１８は、所定の心電波形として、Ｒ波を検出する。そして、ＥＣＧ回路１８は、所定の心電波形を検出したタイミングでトリガ信号を生成し、生成したトリガ信号を処理回路１６に出力する。
【００３４】
以上、本実施形態に係るＭＲＩ装置１００の構成について説明した。このような構成のもと、本実施形態に係るＭＲＩ装置１００は、被検体Ｓの撮像を行うための各種の機能を有する。
【００３５】
ここで、本実施形態に係るＭＲＩ装置１００は、各種の機能に応じた操作画面をディスプレイ１１に表示して、操作者から各種の操作を受け付ける。また、ＭＲＩ装置１００は、操作者からの要求に応じて、操作画面を介して行われる一連の操作の操作手順を操作画面上に表示する。ここでいう操作手順は、例えば、撮像プロトコルや、予約された自動後処理等を含むワークフローに従って定義される。
【００３６】
このように、操作画面上に操作手順を表示する場合に、例えば、操作手順を表すグラフィックや長文のテキスト情報（操作マニュアル等）を表示しようとすると、操作画面上の一部の領域を表示領域として占有してしまうこともあり得る。この場合には、操作手順の表示領域によって操作画面に対する操作が妨げられることもあり得るため、一般的に、操作画面上のどの位置に操作手順の表示領域を配置するかを決めることは難しい。
【００３７】
また、一般的に、ＭＲＩ装置の操作画面は、ＧＵＩ（Graphical  User  Interface）で実現されており、それぞれに個別の機能が割り当てられた多数のグラフィック要素（アイコンやボタン、メニュー等）が操作画面上に配置されたレイアウトとなることが多い。このように、操作画面上に多数のグラフィック要素が配置されたレイアウトでは、操作手順でグラフィック要素が示されたとしても、そのグラフィック要素を操作画面内で見つけることが難しいこともあり得る。
【００３８】
また、ＧＵＩで実現された操作画面は、操作者によって任意に選択されたＧＵＩのセットをプリセットとして保存しておき、操作者からの要求に応じて、保存されているプリセットを操作画面上の任意の位置に表示する機能を有する場合もある。このような場合には、ＧＵＩのプリセットが任意の位置に表示されることによって、操作画面のレイアウトが変化することになり、このような変化に応じた操作手順を表示することは難しいと考えられる。
【００３９】
このようなことから、本実施形態に係るＭＲＩ装置１００は、操作画面上で表示領域を占有せずに、操作手順に沿った自然な流れで操作をガイドすることができるように構成されている。
【００４０】
具体的には、図１に示すように、処理回路１４が、受付機能１６ａと、ガイド機能１６ｂとを有する。なお、受付機能１６ａは、特許請求の範囲における受付部の一例である。また、ガイド機能１６ｂは、特許請求の範囲におけるガイド部の一例である。
【００４１】
受付機能１６ａは、操作画面をディスプレイ１１に表示して操作者から操作を受け付ける。また、受付機能１６ａは、操作者の要求に応じて操作画面のレイアウトを変更する。
【００４２】
ここで、受付機能１６ａは、ＧＵＩで実現された操作画面を表示する。また、受付機能１６ａは、操作者によって任意に選択されたＧＵＩのセットをプリセットとして保存しておき、操作者からの要求に応じて、保存されているプリセットを操作画面上の任意の位置に表示する機能を有する。例えば、ＧＵＩのプリセットは、フローティングウィンドウやショートカットメニュー（コンテキストメニューとも呼ばれる）等の形式で、操作画面上の任意の位置に配置される。
【００４３】
ガイド機能１６ｂは、操作画面を介して行われる一連の操作の操作手順に従って、当該操作手順に含まれる個別の操作をガイドする操作ガイド情報を操作画面のレイアウトに応じた位置に順次表示する。ここで、ガイド機能１６ｂは、受付機能１６ａによって変更された操作画面のレイアウトに応じて、操作ガイド情報を移動する位置を変える。
【００４４】
例えば、ガイド機能１６ｂは、ＧＵＩで構成された操作画面の全体に、操作ガイド情報を表示するための操作ガイドレイヤーを重畳させることで、操作ガイド情報を表示する。ここで、例えば、操作ガイド情報は、所定の図形や画像を表すグラフィックや、テキスト情報を示すアノテーション等によって表現される。そして、操作ガイドレイヤーは、操作者がマウスやキーボード等を操作することによって発生するイベントを検知しても、そのまま下位レイヤーに転送する。これにより、操作ガイドレイヤーが表示された状態でも、操作者が、操作画面に対する操作を行うことができるようになる。
【００４５】
なお、図１に示す例では、処理回路１３〜１６が有する処理機能がそれぞれ単一の処理回路によって実現されることとしたが、実施形態はこれに限られない。各処理回路が有する処理機能は、単一又は複数の処理回路に適宜に分散又は統合されて実現されてもよい。
【００４６】
また、処理回路１３〜１６が有する各処理機能は、例えば、コンピュータによって実行可能なプログラムの形態で記憶回路１２に記憶される。各処理回路は、各プログラムを記憶回路１２から読み出し、読み出した各プログラムを実行することで、各プログラムに対応する処理機能を実現する。換言すると、各プログラムを読み出した状態の処理回路１３〜１６は、図１に示した各処理機能を有することとなる。
【００４７】
図２は、本実施形態に係るＭＲＩ装置１００によって行われる操作ガイドの処理手順を示すフローチャートである。例えば、図２に示すように、本実施形態に係るＭＲＩ装置１００では、ガイド機能１６ｂが、操作者からガイド開始指示を受け付けた場合に（ステップＳ１０１，Ｙｅｓ）、操作ガイドを開始する。ここで、例えば、ガイド機能１６ｂは、キーボード等に用意された専用のキー（ホットキー）や、特定のマウスジェスチャーによって、ガイド開始指示及びガイド終了指示を受け付ける。
【００４８】
具体的には、ガイド機能１６ｂは、操作者によって指定された操作手順に関連する設定内容を特定し（ステップＳ１０２）、特定した設定内容に応じて、操作ガイド情報の内容を決定する（ステップＳ１０３）。そして、ガイド機能１６ｂは、操作手順に従って、操作画面のレイアウトに応じた位置に操作ガイド情報を表示する（ステップＳ１０４）。
【００４９】
その後、受付機能１６ａが、操作画面を介して操作者から操作を受け付けた場合に（ステップＳ１０５，Ｙｅｓ）、操作者によって行われた操作を、操作手順に関連する設定内容に反映する（ステップＳ１０６）。そして、ガイド機能１６ｂが、操作者によって行われた操作によって操作手順が終了したか否かを判定する（ステップＳ１０７）。
【００５０】
ここで、ガイド機能１６ｂは、操作手順が終了したと判定するまでの間は（ステップＳ１０７，Ｎｏ）、上述したステップＳ１０２〜Ｓ１０４の処理を繰り返す。これにより、操作手順に従って、当該操作手順に含まれる個別の操作をガイドする操作ガイド情報が、操作画面のレイアウトに応じた位置に順次表示されることになる。
【００５１】
そして、ガイド機能１６ｂは、操作手順が終了したと判定した後に（ステップＳ１０７，Ｙｅｓ）、操作者からガイド終了指示を受け付けた場合には（ステップＳ１０８，Ｙｅｓ）、操作ガイド情報の表示を終了する（ステップＳ１０９）。これにより、ガイド機能１６ｂによる操作ガイドが終了する。
【００５２】
このように、本実施形態では、ガイド機能１６ｂは、操作手順に含まれる個別の操作が行われるごとに、当該操作手順に関連する設定内容を特定し、特定した設定内容に応じて、操作ガイド情報の内容を変更する。これにより、操作者が、操作手順の進行状況に応じて、容易に操作を行うことができるようになる。
【００５３】
なお、上述した処理手順のうち、ステップＳ１０５及びＳ１０６の処理は、例えば、処理回路１６が受付機能１６ａに対応する所定のプログラムを記憶回路１２から読み出して実行することにより実現される。また、ステップＳ１０１〜Ｓ１０４及びＳ１０７〜Ｓ１０９の処理は、例えば、処理回路１６がガイド機能１６ｂに対応する所定のプログラムを記憶回路１２から読み出して実行することにより実現される。
【００５４】
以上、説明した実施形態は、ＭＲＩ装置１００において操作画面を介して行われる各種の操作について、適用することが可能である。そこで、以下では、上述した実施形態に係る具体的な実施例について説明する。
【００５５】
（実施例１）
まず、実施例１として、受付機能１６ａが、操作画面を介して、特定の撮像部位について、撮像プロトコルを選択する操作を受け付け、当該撮像プロトコルに関する撮像パラメータを設定する操作を受け付ける場合の例を説明する。
【００５６】
本実施例では、一例として、脊椎に関する診断用の断面画像の位置を自動的に検出する脊椎位置決め支援機能を用いた撮像が行われる場合の例を説明する。例えば、脊椎位置決め支援機能は、脊椎位置検出用撮像プロトコルを実行することで、脊椎が描出された位置決め画像を撮像し、撮像された位置決め画像に含まれる脊椎の形状を解析して、診断用の断面画像の撮像位置を自動的に検出する。また、脊椎位置決め支援機能は、脊椎位置検出用撮像プロトコルによって検出された撮像位置を検出結果としてディスプレイ１１に表示し、撮像位置の決定や調整を行う操作を操作者から受け付ける。
【００５７】
この場合に、例えば、受付機能１６ａは、操作画面を介して、撮像部位として脊椎を選択する操作や、撮像に用いる撮像プロトコルを選択する操作、脊椎位置検出用撮像プロトコルに関する撮像パラメータを設定する操作等を操作者から受け付ける。
【００５８】
図３〜７は、実施例１に係る受付機能１６ａによって表示される操作画面及びガイド機能１６ｂによって行われる操作ガイドの一例を示す図である。例えば、図３〜５に示すように、受付機能１６ａは、ＭＲＩ装置１００に登録されている撮像プロトコルを表示するためのプロトコル参照ウィンドウ２１０と、操作者によって選択された撮像プロトコルを表示するためのプロトコル選択ウィンドウ２２０とを配置した操作画面２００をディスプレイ１１に表示する。なお、図４は、プロトコル参照ウィンドウ２１０のみを示している。
【００５９】
プロトコル参照ウィンドウ２１０は、部位アイコン表示領域２１１と、プロトコル取得ボタン２１２と、プロトコルリスト表示領域２１３と、プロトコル選択ボタン２１４とを含む。部位アイコン表示領域２１１は、撮像部位を選択するための部位アイコンを表示する領域である。例えば、部位アイコン表示領域２１１には、頭部のアイコン、胸部のアイコン、腹部のアイコン、脊椎のアイコン２１１ａ、腰部のアイコン、脚部のアイコン等が表示される。また、プロトコル取得ボタン２１２は、登録済みの撮像プロトコルの中から、操作者によって選択された撮像部位に関する撮像プロトコルを取得するためのボタンである。また、プロトコルリスト表示領域２１３は、取得された撮像プロトコルに含まれる撮像プロトコルを列挙したリストを表示する領域である。また、プロトコル選択ボタン２１４は、プロトコルリスト表示領域２１３に表示された撮像プロトコルの中から撮像に用いる撮像プロトコルを選択するためのボタンである。
【００６０】
ここで、ガイド機能１６ｂは、操作者からガイド開始指示を受け付けた場合に、まず、操作手順に関連する設定内容として、撮像部位を特定する。例えば、ガイド機能１６ｂは、記憶回路１２に記憶されている検査情報（オーダ情報）を参照して、撮像部位を特定する。また、ガイド機能１６ｂは、ガイド開始指示を受け付けた時点で操作画面２００上に表示されているウィンドウと、アクティブになっているウィンドウとを特定する。例えば、ガイド機能１６ｂは、ディスプレイ１１の表示を制御するための制御情報を参照して、各ウィンドウの表示状態を特定する。
【００６１】
本実施例では、ガイド機能１６ｂは、撮像部位が脊椎であることを特定する。また、例えば、ガイド機能１６ｂは、ガイド開始指示を受け付けた時点で操作画面２００上に表示されているウィンドウがプロトコル参照ウィンドウ２１０及びプロトコル選択ウィンドウ２２０であり、アクティブになっているウィンドウがプロトコル参照ウィンドウ２１０であることを特定する。この場合に、例えば、ガイド機能１６ｂは、予め記憶回路１２に記憶されている各種の操作手順を定義した情報を参照して、脊椎の撮像プロトコル選択に関連する操作手順を列挙した操作手順リストを生成して、操作画面２００上に表示する。
【００６２】
そして、操作者によって操作手順リストの中から脊椎位置決め支援機能を用いた撮像の操作手順が選択された場合には、ガイド機能１６ｂは、操作手順に関連する設定内容として、脊椎位置決め支援機能を用いた操作手順に従った操作の進行状況を特定する。例えば、ガイド機能１６ｂは、操作画面２００上に表示されているウィンドウ等の表示状態に応じて、操作の進行状況を特定する。ここで、例えば、ガイド機能１６ｂは、撮像プロトコルが未選択であることを特定した場合には、脊椎位置決め支援機能を用いた撮像の操作手順のうち、撮像プロトコルの選択に関する操作からガイドを開始するように操作ガイド情報を表示する。
【００６３】
例えば、図３に示すように、撮像プロトコルの選択が行われる場合には、受付機能１６ａは、まず、部位アイコン表示領域２１１に表示されている複数の部位アイコンの中から脊椎のアイコン２１１ａを選択する操作を操作者から受け付ける。その後、受付機能１６ａは、プロトコル取得ボタン２１２を押下する操作を操作者から受け付ける。
【００６４】
この場合に、ガイド機能１６ｂは、まず、脊椎のアイコン２１１ａを選択する操作を行い、次に、プロトコル取得ボタン２１２を押下する操作を行うという操作手順に従って、操作ガイド情報を表示する。
【００６５】
例えば、図３に示すように、ガイド機能１６ｂは、脊椎のアイコン２１１ａの付近に、１番目に操作することを表す数字「１」を示したグラフィック３０１を表示する。また、ガイド機能１６ｂは、プロトコル取得ボタン２１２の付近に、２番目に操作することを表す数字「２」を示したグラフィック３０２と、当該プロトコル取得ボタン２１２の位置を示す矢印型のグラフィック３０３とを表示する。さらに、ガイド機能１６ｂは、「１」を示したグラフィック３０１から「２」を示したグラフィック３０２へ向かう矢印型のグラフィック３０４を表示する。
【００６６】
ここで、例えば、ガイド機能１６ｂは、各グラフィックを同時に表示した後に、各操作が行われた時点で、対応するグラフィックを非表示にする。例えば、ガイド機能１６ｂは、脊椎のアイコン２１１ａを選択する操作が行われた時点で、「１」を示したグラフィック３０１と、「１」を示したグラフィック３０１から「２」を示したグラフィック３０２へ向かう矢印型のグラフィック３０４とを非表示にする。その後、ガイド機能１６ｂは、プロトコル取得ボタン２１２に対する操作が行われた時点で、「２」を示したグラフィック３０２と、当該プロトコル取得ボタン２１２の位置を示す矢印型のグラフィック３０３とを非表示にする。なお、各グラフィックの表示方法はこれに限られず、例えば、ガイド機能１６ｂは、各グラフィックを同時に表示した後に、表示したグラフィックに対応する操作が全て完了するまでの間は、各グラフィックの表示を継続するようにしてもよい。
【００６７】
そして、受付機能１６ａは、プロトコル取得ボタン２１２を押下する操作を受け付けた場合に、操作者によって選択された撮像部位に関する撮像プロトコルを取得し、取得し撮像プロトコルを示すプルダウンリストを表示する。その後、受付機能１６ａは、表示されたプルダウンリストの中から撮像で用いる撮像プロトコルを選択する操作を操作者から受け付ける。ここで、本実施例では、撮像プロトコルは、予め階層構造を有するように段階的に定義された複数のグループに分類されている。
【００６８】
例えば、図４に示すように、受付機能１６ａは、まず、上位のグループを列挙した上位のプルダウンリスト２１５を表示する。その後、受付機能１６ａは、表示されたプルダウンリスト２１５に含まれるグループの中から一つのグループを選択する操作を受け付けた場合に、選択されたグループに属する下位のグループを列挙した下位のプルダウンリスト２１６を表示する。その後、受付機能１６ａは、表示されたプルダウンリスト２１６の中から下位のグループを選択する操作を操作者から受け付ける。
【００６９】
この場合に、ガイド機能１６ｂは、まず、上位のプルダウンリスト２１５の中から、脊椎位置決め支援機能を用いた撮像用の撮像プロトコルを含む上位のグループを選択する操作を行い、次に、下位のプルダウンリスト２１６の中から、脊椎位置決め支援機能を用いた撮像用の撮像プロトコルを含む下位のグループを選択する操作を行うという操作手順に従って、操作ガイド情報を表示する。ここで、脊椎位置決め支援機能を用いた撮像用の撮像プロトコルには、脊椎位置検出用撮像プロトコルが含まれる。
【００７０】
例えば、図４に示すように、ガイド機能１６ｂは、上位のプルダウンリスト２１５に含まれるグループのうち、脊椎位置決め支援機能を用いた撮像用の撮像プロトコルを含むグループを示す項目の付近に、当該グループの位置を示す矢印型のグラフィック３０５を表示する。そして、ガイド機能１６ｂは、脊椎位置決め支援機能を用いた撮像用の撮像プロトコルを含む上位のグループを選択する操作が行われた時点で、表示していた矢印型のグラフィック３０５を非表示にし、下位のプルダウンリスト２１６に含まれるグループのうち、脊椎位置決め支援機能を用いた撮像用の撮像プロトコルを含むグループを示す項目の付近に、当該グループの位置を示す矢印型のグラフィック３０６を新たに表示する。
【００７１】
そして、受付機能１６ａは、下位のプルダウンリスト２１６の中から一つのグループを選択する操作を受け付けた場合に、選択されたグループに含まれる撮像プロトコルを列挙したリストをプロトコルリスト表示領域２１３に表示する。ここで、本実施例では、各撮像プロトコルについて、パルスシーケンスの種類が選択可能となっている。
【００７２】
例えば、図５に示すように、受付機能１６ａは、プロトコルリスト表示領域２１３に表示した撮像プロトコルの中から指定された撮像プロトコルについて、各撮像プロトコルで選択可能なパルスシーケンスを列挙したシーケンスリスト２１３ａを表示する。その後、受付機能１６ａは、シーケンスリスト２１３ａに表示されたパルスシーケンスの中から一つのパルスシーケンスを選択する操作を受け付ける。その後、受付機能１６ａは、パルスシーケンスを選択済みの撮像プロトコルを撮像に用いる撮像プロトコルとして選択する操作として、プロトコル選択ボタン２１４を押下する操作を受け付ける。
【００７３】
この場合に、ガイド機能１６ｂは、まず、シーケンスリスト２１３ａに表示されたパルスシーケンスの中から、脊椎位置検出用撮像プロトコルで用いられるパルスシーケンスを選択する操作を行い、次に、プロトコル選択ボタン２１４を押下する操作を行うという操作手順に従って、操作ガイド情報を表示する。
【００７４】
例えば、図５に示すように、ガイド機能１６ｂは、シーケンスリスト２１３ａに含まれるパルスシーケンスのうち、脊椎位置検出用撮像プロトコルで用いられるパルスシーケンスを示す項目の付近に、１番目に操作することを表す数字「１」を示したグラフィック３０７と、当該パルスシーケンスの位置を示す矢印型のグラフィック３０８とを表示する。また、ガイド機能１６ｂは、プロトコル選択ボタン２１４の付近に、２番目に操作することを表す数字「２」を示したグラフィック３０９と、当該プロトコル選択ボタン２１４の位置を示す矢印型のグラフィック３１０とを表示する。さらに、ガイド機能１６ｂは、「１」を示したグラフィック３０７から「２」を示したグラフィック３０９へ向かう矢印型のグラフィック３１１を表示する。
【００７５】
ここで、図５に示す例でも、ガイド機能１６ｂは、図３に示した例と同様に、各グラフィックを同時に表示した後に、各操作が行われた時点で、対応するグラフィックを非表示にしてもよいし、表示したグラフィックに対応する操作が全て完了するまでの間は、各グラフィックの表示を継続するようにしてもよい。
【００７６】
そして、受付機能１６ａは、プロトコル選択ボタン２１４を押下する操作を受け付けた場合に、操作者によって選択された撮像プロトコルをプロトコル選択ウィンドウ２２０に表示する。ここで、本実施例では、操作者によって脊椎位置検出用撮像プロトコルが選択され、プロトコル選択ウィンドウ２２０に表示される。
【００７７】
この場合に、ガイド機能１６ｂは、まず、操作手順に関連する設定内容として、脊椎位置検出用撮像プロトコルについて、当該脊椎位置検出用撮像プロトコルを実行するために必要な全ての撮像パラメータが設定されているか否かを特定する。そして、例えば、ガイド機能１６ｂは、脊椎位置検出用撮像プロトコルを実行するために必要な全ての撮像パラメータのうち、未設定の撮像パラメータがある場合には、その撮像パラメータを設定する操作を誘導する操作ガイド情報を表示する。
【００７８】
例えば、図６に示すように、プロトコル選択ウィンドウ２２０は、撮像パラメータを編集するパラメータ編集ウィンドウを操作画面２００上に表示するためのパラメータ編集ボタン２２１を含む。なお、図６は、プロトコル参照ウィンドウ２１０を非表示とした状態を示している。そして、例えば、図７に示すように、受付機能１６ａは、パラメータ編集ボタン２２１を押下する操作を受け付けた場合には、パラメータ編集ウィンドウ２３０を表示する。
【００７９】
ここで、例えば、図７に示すように、パラメータ編集ウィンドウ２３０は、撮像パラメータに関するオプションを設定するオプション設定ウィンドウ２４０を操作画面２００上に表示するためのオプション設定ボタン２３１を含む。そして、受付機能１６ａは、オプション設定ボタン２３１を押下する操作を受け付けた場合には、操作画面２００上にオプション設定ウィンドウ２４０をさらに表示する。
【００８０】
この場合に、ガイド機能１６ｂは、脊椎位置検出用撮像プロトコルを実行するために必要な撮像パラメータについて、必要なオプションが設定されていないことを特定した場合には、そのオプションを設定する操作を誘導する操作ガイド情報を表示する。
【００８１】
例えば、図６に示すように、ガイド機能１６ｂは、プロトコル選択ウィンドウ２２０に表示されている撮像プロトコルに含まれる脊椎位置検出用撮像プロトコルを示す情報の付近に、１番目に操作することを表す数字「１」を示したグラフィック３１２と、当該脊椎位置検出用撮像プロトコルを示す情報の位置を示す矢印型のグラフィック３１３とを表示する。また、ガイド機能１６ｂは、パラメータ編集ボタン２２１の付近に、２番目に操作することを表す数字「２」を示したグラフィック３１４と、当該パラメータ編集ボタン２２１の位置を示す矢印型のグラフィック３１５とを表示する。さらに、ガイド機能１６ｂは、「１」を示したグラフィック３１２から「２」を示したグラフィック３１５へ向かう矢印型のグラフィック３１６を表示する。
【００８２】
そして、例えば、図７に示すように、操作者によってパラメータ編集ボタン２２１が押下された場合には、ガイド機能１６ｂは、パラメータ編集ウィンドウ２３０に含まれるオプション設定ボタン２３１の付近に、１番目に操作することを表す数字「１」を示したグラフィック３１７と、当該オプション設定ボタン２３１の位置を示す矢印型のグラフィック３１８とを表示する。その後、ガイド機能１６ｂは、操作者によってオプション設定ボタン２３１が押下された場合には、オプション設定ウィンドウ２４０に含まれる各種ボタンのうち、脊椎位置検出用撮像プロトコルのオプションを設定するための脊椎位置検出用撮像オプションボタン２４１の付近に、２番目に操作することを表す数字「２」を示したグラフィック３１９と、当該脊椎位置検出用撮像オプションボタン２４１の位置を示す矢印型のグラフィック３２０とを表示する。さらに、ガイド機能１６ｂは、「１」を示したグラフィック３１７から「２」を示したグラフィック３１９へ向かう矢印型のグラフィック３２１を表示する。
【００８３】
ここで、図６及び７に示す例でも、ガイド機能１６ｂは、図３及び５に示した例と同様に、各グラフィックを同時に表示した後に、各操作が行われた時点で、対応するグラフィックを非表示にしてもよいし、表示したグラフィックに対応する操作が全て完了するまでの間は、各グラフィックの表示を継続するようにしてもよい。
【００８４】
そして、受付機能１６ａは、脊椎位置検出用撮像プロトコルが実行された後に、脊椎位置検出用撮像プロトコルによって検出された撮像位置を調整する機能を実行するための脊椎断面設定アイコンを含むＧＵＩのプリセットを操作画面２００上に表示する。例えば、受付機能１６ａは、フローティングウィンドウやショートカットメニューの形式で、ＧＵＩのプリセットを表示する。
【００８５】
図８は、実施例１に係る受付機能１６ａによって表示されるフローティングウィンドウ及びガイド機能１６ｂによって行われる操作ガイドの一例を示す図である。例えば、図８に示すように、受付機能１６ａは、脊椎断面設定アイコン２５１ａを含む複数のアイコンを表示したフローティングウィンドウ２５１を表示する。
【００８６】
図９は、実施例１に係る受付機能１６ａによって表示されるフローティングウィンドウ及びガイド機能１６ｂによって行われる操作ガイドの他の例を示す図である。例えば、図９に示すように、受付機能１６ａは、サブウィンドウ２５３に脊椎断面設定アイコン２５３ａを含むフローティングウィンドウ２５２を表示する。ここで、図９に示す例では、フローティングウィンドウ２５２には、図８に示す例と同様に複数のアイコンが表示されるが、初期状態では、脊椎断面設定アイコンは表示されない。例えば、図９に示す例では、フローティングウィンドウ２５２において、初期状態で表示される複数のアイコンの中にサブウィンドウ２５３を表示するためのサブウィンドウ表示ボタン２５２ａが含まれており、当該サブウィンドウ表示ボタン２５２ａを押下することによって表示されるサブウィンドウ２５３に、脊椎断面設定アイコン２５３ａが表示される。
【００８７】
この場合に、ガイド機能１６ｂは、まず、操作手順に関連する設定内容として、脊椎断面設定アイコンを含むフローティングウィンドウが既に操作画面２００上に表示されているか否かを特定する。例えば、ガイド機能１６ｂは、ディスプレイ１１の表示を制御するための制御情報を参照して、フローティングウィンドウの表示状態を特定する。
【００８８】
そして、例えば、図８に示すように、脊椎断面設定アイコン２５１ａを含むフローティングウィンドウ２５１が既に表示されている場合には、ガイド機能１６ｂは、表示されている脊椎断面設定アイコン２５１ａの付近に、当該脊椎断面設定アイコン２５１ａを強調表示するグラフィック３２２と、当該脊椎断面設定アイコン２５１ａの位置を示す矢印型のグラフィック３２３とを表示する。
【００８９】
一方、例えば、図９に示すように、サブウィンドウ２５３に脊椎断面設定アイコン２５３ａを含むフローティングウィンドウ２５２が表示されている場合には、ガイド機能１６ｂは、まず、サブウィンドウ表示ボタン２５２ａの付近に、当該サブウィンドウ表示ボタン２５２ａを強調表示するグラフィック３２４と、当該サブウィンドウ表示ボタン２５２ａの位置を示す矢印型のグラフィック３２５とを表示する。その後、ガイド機能１６ｂは、操作者によってサブウィンドウ表示ボタン２５２ａが押下された場合に、それによって表示されるサブウィンドウ２５３に表示されている脊椎断面設定アイコン２５３ａの付近に、当該脊椎断面設定アイコン２５３ａを強調表示するグラフィック３２６と、当該脊椎断面設定アイコン２５３ａの位置を示す矢印型のグラフィック３２７とを表示する。
【００９０】
なお、例えば、ＧＵＩのプリセットが複数保存されている場合には、脊椎断面設定アイコンを含むプリセットが複数存在することもあり得る。このような場合には、操作者が所望する操作を行うことが可能な操作手順として、複数の操作手順が存在することになる。
【００９１】
そこで、本実施例では、ガイド機能１６ｂは、脊椎断面設定アイコンを含むプリセットが複数ある場合に、脊椎断面設定アイコンを表示するまでの手順数が最も少ない操作手順に誘導する操作ガイド情報を表示する。
【００９２】
具体的には、ガイド機能１６ｂは、操作手順に関連する設定内容として、さらに、保存されているプリセットの中から、脊椎断面設定アイコンを含むプリセットを特定する。そして、脊椎断面設定アイコンを含むプリセットが複数ある場合には、ガイド機能１６ｂは、さらに、特定した各プリセットについて、脊椎断面設定アイコンを表示するまでの手順数を特定する。例えば、ガイド機能１６ｂは、記憶回路１２に記憶されているＧＵＩのプリセットに関する情報を参照して、プリセットに関する内容を特定する。
【００９３】
そして、ガイド機能１６ｂは、特定した各プリセットの中で、脊椎断面設定アイコンを表示するまでの手順数が最も少ないプリセットに誘導するように、操作ガイド情報を表示する。例えば、ガイド機能１６ｂは、手順数が最も少ないプリセットとして特定したプリセットを表示させることを促す操作ガイド情報を操作画面２００上に表示する。例えば、ガイド機能１６ｂは、図８に示すフローティングウィンドウ２５１と、図９に示すフローティングウィンドウ２５２とを、脊椎断面設定アイコンを含むプリセットとして特定した場合には、初期状態で脊椎断面設定アイコン２５１ａを表示している、図８に示すフローティングウィンドウ２５１を表示させることを促す操作ガイド情報を表示する。
【００９４】
このように、実施例１では、ガイド機能１６ｂが、脊椎断面設定アイコンを含むプリセットが複数ある場合に、脊椎断面設定アイコンを表示するまでの手順数が最も少ない操作手順に誘導する操作ガイド情報を表示する。これにより、操作者が、より少ない手順で、目的を実現するための操作手順に沿って操作を行うことができるようになる。
【００９５】
（実施例２）
次に、実施例２として、操作画面上に表示されるＧＵＩの中で、操作者が所望する操作を行うために選択可能なＧＵＩが複数ある場合の例を説明する。
【００９６】
例えば、操作画面に表示されている複数のＧＵＩの中に、同じ機能を実行可能なＧＵＩが複数存在する場合には、実施例１で説明したプリセットの例と同様に、操作者が所望する操作を行うことが可能な操作手順として、複数の操作手順が存在することになる。
【００９７】
そこで、本実施例では、ガイド機能１６ｂは、操作者が所望する機能を実行可能なＧＵＩが操作画面上に複数ある場合に、操作者が所望する機能を実行するまでの手順数が最も少ない操作手順に誘導する操作ガイド情報を表示する。
【００９８】
図１０は、実施例２に係る受付機能１６ａによって表示される操作画面及びガイド機能１６ｂによって行われる操作ガイドの一例を示す図である。例えば、図１０に示すように、受付機能１６ａは、現検査の内容を表示する検査ウィンドウを表示するための検査表示ボタン２６１と、現検査の進行状況を表す検査ステータスアイコン２６２とを含む操作画面２００をディスプレイ１１に表示する。ここで、例えば、受付機能１６ａは、検査表示ボタン２６１が押下された場合には、１手順で検査ウィンドウを表示する。また、例えば、受付機能１６ａは、検査ステータスアイコン２６２が選択された場合には、当該検査ステータスアイコン２６２が最前面に表示されていたときには、１手順で検査ウィンドウを表示し、当該検査ステータスアイコン２６２が最前面に表示されていないときには、２手順で検査ウィンドウを表示する。
【００９９】
この場合には、ガイド機能１６ｂは、操作手順に関連する設定内容として、操作画面２００上で、検査ウィンドウを表示可能なＧＵＩを特定する。例えば、ガイド機能１６ｂは、ディスプレイ１１の表示を制御するための制御情報を参照して、ＧＵＩの表示状態を特定する。そして、検査ウィンドウを表示可能なＧＵＩが複数ある場合には、ガイド機能１６ｂは、さらに、特定した各ＧＵＩについて、その時点から検査ウィンドウを表示するまでの手順数を特定する。例えば、ガイド機能１６ｂは、記憶回路１２に記憶されているＧＵＩに関する情報を参照して、ＧＵＩに関する内容を特定する。
【０１００】
そして、ガイド機能１６ｂは、特定した各ＧＵＩの中で、検査ウィンドウを表示するまでの手順数が最も少ないＧＵＩに誘導するように、操作ガイド情報を表示する。例えば、図１０に示す例では、ガイド機能１６ｂは、検査ステータスアイコン２６２が最前面に表示されていない場合には、検査表示ボタン２６１を、検査ウィンドウを表示するまでの手順数が最も少ないＧＵＩとして特定する。この場合には、例えば、検査表示ボタン２６１のみについて、当該検査表示ボタン２６１を強調表示するグラフィック３２７と、当該検査表示ボタン２６１の位置を示す矢印型のグラフィック３２８とを表示する。一方、検査ステータスアイコン２６２が最前面に表示されている場合には、ガイド機能１６ｂは、検査表示ボタン２６１及び検査ステータスアイコン２６２の両方を、検査ウィンドウを表示するまでの手順数が最も少ないＧＵＩとして特定する。この場合には、例えば、検査表示ボタン２６１について、当該検査表示ボタン２６１を強調表示するグラフィック３２７と、当該検査表示ボタン２６１の位置を示す矢印型のグラフィック３２８とを表示し、かつ、検査ステータスアイコン２６２について、当該検査ステータスアイコン２６２を強調表示するグラフィック３２９と、当該検査ステータスアイコン２６２の位置を示す矢印型のグラフィック３３０とを表示する。
【０１０１】
なお、ここでは、操作画面に表示されている複数のＧＵＩの中に、同じ機能を実行可能なＧＵＩが複数存在する場合の例を説明したが、実施形態はこれに限られない。例えば、フローティングウィンドウやショートカットメニュー等のプリセットに、操作者が所望する機能を実行するアイコンが含まれることもある。
【０１０２】
ここで、例えば、フローティングウィンドウについては、フローティングウィンドウが既に操作画面２００上に表示されており、初期状態で操作者が所望する機能のアイコンが表示される場合には、当該機能を実行するまでの手順は、１手順となる。また、例えば、フローティングウィンドウが既に操作画面２００上に表示されており、１つ下位のサブウィンドウに操作者が所望する機能のアイコンが表示される場合には、当該機能を実行するまでの手順は、２手順となる。
【０１０３】
また、例えば、操作者が所望する機能を実行可能なフローティングウィンドウが操作画面２００上に表示されていない場合には、さらに、表示中のフローティングウィンドウを非表示とする手順と、操作者が所望する機能を実行可能なフローティングウィンドウを表示する手順が必要になるため、当該機能を実行するまでの手順は、３手順となる。また、保存されているフローティングウィンドウの中に、操作者が所望する機能を実行可能なフローティングウィンドウがない場合には、さらに、新たなフローティングウィンドウを作成するための機能を実行する手順と、新たなフローティングウィンドウを登録する手順とが必要になるため、当該機能を実行するまでの手順は、３手順となる。
【０１０４】
また、例えば、ショートカットメニューについては、操作者によって任意の階層の深さで作成され得るため、マウスの右クリック等で最初のメニューを表示する手順から始まり、操作者が所望する機能を実行するまでに、２〜５手順が必要になることが多い。
【０１０５】
このように、操作者が任意に作成可能なプリセットについては、操作者が所望する機能を実行するために様々な操作手順が考えられる。そのため、ガイド機能１６ｂは、操作者が所望する機能を実行するアイコンがプリセットに含まれる場合も、操作画面に表示されているＧＵＩと同様に、操作手順に関連する設定内容として、操作者が所望する機能を実行可能なプリセットを特定し、特定した各プリセットについて、その時点から当該機能を実行するまでの手順数を特定する。そして、ガイド機能１６ｂは、特定した各プリセットの中で、操作者が所望する機能を実行するまでの手順数が最も少ないプリセットに誘導するように、操作ガイド情報を表示する。
【０１０６】
このように、実施例２では、ガイド機能１６ｂが、各種のＧＵＩを対象にして、操作者が所望する操作を含む操作手順が複数ある場合に、当該操作に到達するまでの手順数が最も少ない操作手順に誘導する操作ガイド情報を表示する。これにより、操作者が、より少ない手順で、目的を実現するための操作手順に沿って操作を行うことができるようになる。
【０１０７】
（実施例３）
次に、実施例３として、ガイド機能１６ｂが、操作画面に対する操作者による操作を妨げないように、操作ガイド情報を表示する位置を動的に変える場合の例を説明する。
【０１０８】
図１１は、実施例３に係る受付機能１６ａによって表示されるフローティングウィンドウ及びガイド機能１６ｂによって行われる操作ガイドの一例を示す図である。なお、図１１は、図８に示したフローティングウィンドウ２５１を一例として示している。
【０１０９】
例えば、図１１の（ａ）に示すように、受付機能１６ａは、実施例１で説明したように、フローティングウィンドウ２５１上に、脊椎断面設定アイコン２５１ａを強調表示するグラフィック３２２と、当該脊椎断面設定アイコン２５１ａの位置を示す矢印型のグラフィック３２３とを表示する。
【０１１０】
この場合に、ガイド機能１６ｂは、操作手順に関連する設定内容として、マウスポインタ４００の位置を特定する。そして、例えば、図１１の（ｂ）に示すように、操作者がマウスポインタ４００を矢印型のグラフィック３２３に近付けた場合には、ガイド機能１６ｂは、矢印型のグラフィック３２３によって隠れていたアイコン等の情報を操作者が視認できるように、矢印型のグラフィック３２３をマウスポインタ４００から離れた位置に移動する。
【０１１１】
このように、実施例３では、ガイド機能１６ｂが、操作画面に対する操作者による操作を妨げないように、操作ガイド情報を表示する位置を動的に変える。これにより、操作者が、操作ガイド情報に邪魔されることなく、操作画面の操作を行うことができるようになる。
【０１１２】
（実施例４）
次に、実施例４として、受付機能１６ａが、操作画面内に被検体の複数の画像を表示し、当該複数の画像のうちの一つの画像に対する操作に応じて他の画像の表示を変更する場合の例を説明する。
【０１１３】
本実施例では、一例として、心臓に関する診断用の断面画像の位置を自動的に検出する心臓位置決め支援機能を用いた撮像が行われる場合の例を説明する。例えば、心臓位置決め支援機能は、心臓位置検出用撮像プロトコルを実行することで、心臓の３次元画像を撮像し、撮像した３次元画像に含まれる心臓の特徴部位に基づいて、診断用の断面画像である複数の基準断面像の撮像位置を自動的に検出する。また、心臓位置決め支援機能は、心臓位置検出用撮像プロトコルによって検出された各基準断面像の撮像位置を示す複数の断面画像をディスプレイ１１に表示し、撮像位置の決定や調整を行う操作を操作者から受け付ける。
【０１１４】
この場合に、例えば、受付機能１６ａは、操作画面内に、心臓位置検出用撮像プロトコルによって検出された各基準断面像の撮像位置を示す複数の断面画像を表示し、当該複数の断面画像それぞれに対する操作を受け付ける。そして、受付機能１６ａは、複数の断面画像のうちの一つの断面画像に対する操作に応じて、他の画像の表示を変更する。
【０１１５】
図１２〜１４は、実施例４に係る受付機能１６ａによって表示される操作画面及びガイド機能１６ｂによって行われる操作ガイドの一例を示す図である。例えば、図１２及び１３に示すように、受付機能１６ａは、心臓位置検出用撮像プロトコルによって検出された各基準断面像の撮像位置を示す複数の断面画像を並べて配置した操作画面５００をディスプレイ１１に表示する。
【０１１６】
具体的には、受付機能１６ａは、操作画面５００において、上から１番目の列に、左から右に、体軸横断面像（Ａｘｉａｌ）、左室垂直長軸像（ＶＬＡ）、左室水平長軸像（ＨＬＡ）、左室短軸像（Ｌ−ＳＡ）、右室短軸像（Ｒ−ＳＡ）を表示する。また、受付機能１６ａは、操作画面５００において、上から２番目の列に、左から右に、左室四腔長軸像（Ｌ−４ｃｈ）、左室二腔長軸像（Ｌ−２ｃｈ）、左室三腔長軸像（Ｌ−３ｃｈ）、左室流出路像（ＬＶＯＴ）、大動脈弁像（ＡｏＶ）を表示する。また、受付機能１６ａは、操作画面５００において、上から３番目の列に、左から右に、右室四腔長軸像（Ｒ−４ｃｈ）、右室二腔長軸像（Ｒ−２ｃｈ）、右室三腔長軸像（Ｒ−３ｃｈ）、右室流出路像（ＲＶＯＴ）、肺動脈弁像（ＰＡ）を表示する。
【０１１７】
そして、受付機能１６ａは、各断面画像上に、３次元画像から検出された心臓の特徴部位を示すグラフィックを表示し、当該グラフィックを介して、特徴部位の位置を調整する操作を操作者から受け付ける。ここで、心臓位置検出用撮像プロトコルによって検出される各基準断面像の撮像位置は、それぞれ、３次元画像から検出された心臓の特徴部位に基づいて決められている。そのため、複数の断面画像のうちのいずれか一つで特徴部位の位置が調整された場合には、それに応じて他の断面画像の撮像位置が変化することになる。
【０１１８】
この場合に、ガイド機能１６ｂは、複数の画像それぞれに対して行われる操作の操作手順を示す操作ガイド情報を表示する。上述したように、心臓位置検出用撮像プロトコルによって検出される各基準断面像の撮像位置は、いずれか一つで特徴部位の位置が調整された場合に、それに応じて他の断面画像の撮像位置が変化する。そのため、各基準断面像の位置を調整する場合には、適切に全ての基準断面像の撮像位置を調整することが可能な所定の操作手順に沿って、複数の画像それぞれに対して操作を行うのが望ましい。そこで、例えば、ガイド機能１６ｂは、そのような操作手順に沿って操作ガイド情報を表示する。
【０１１９】
例えば、図１２に示すように、ガイド機能１６ｂは、各断面画像上に、操作の順番を表す数字（「１」〜「１２」）を示したグラフィックを表示する。また、ガイド機能１６ｂは、数字が連続するグラフィックの間に、小さい数字のグラフィックから大きい数字のグラフィックへ向かう矢印型のグラフィックを表示する。
【０１２０】
ここで、例えば、受付機能１６ａが、一つの断面画像に対する操作として、複数の操作を受け付けることもある。例えば、図１３に示すように、受付機能１６ａは、左室垂直長軸像（ＶＬＡ）上で特徴部位の位置を調整する操作として、僧帽弁の位置を調整する操作と、心尖の位置を調整する操作とを受け付ける。
【０１２１】
この場合に、ガイド機能１６ｂは、複数の断面画像それぞれに対して行われる操作の操作手順に関する操作ガイド情報と、一つの断面画像に対して行われる複数の操作の操作手順に関する操作ガイド情報とを切り替えて表示する。例えば、ガイド機能１６ｂは、左室垂直長軸像（ＶＬＡ）上で、僧帽弁の位置を調整する操作を行った後に、心尖の位置を調整する操作を行うという操作手順に従って、操作ガイド情報を表示する。
【０１２２】
例えば、図１３に示すように、ガイド機能１６ｂは、左室垂直長軸像（ＶＬＡ）上に表示したグラフィックに対する操作を操作者から受け付けた場合に、各断面画像に表示していた各グラフィックを非表示にし、左室垂直長軸像（ＶＬＡ）上に、当該左室垂直長軸像に対する複数の操作に関する操作ガイド情報を新たに表示する。例えば、ガイド機能１６ｂは、左室垂直長軸像（ＶＬＡ）における僧帽弁の付近に、左室垂直長軸像（ＶＬＡ）に対して１番目に操作することを表す数字「２．１」を示したグラフィックと、僧帽弁の位置を示す矢印型のグラフィックと、当該操作の内容を表す「２．１  僧帽弁の位置調整」を示したアノテーションとを表示する。また、例えば、ガイド機能１６ｂは、左室垂直長軸像（ＶＬＡ）における心尖の付近に、左室垂直長軸像（ＶＬＡ）に対して２番目に操作することを表す数字「２．２」を示したグラフィックと、心尖の位置を示す矢印型のグラフィックと、当該操作の内容を表す「２．２  心尖の位置調整」を示したアノテーションとを表示する。
【０１２３】
そして、ガイド機能１６ｂは、各断面画像上に操作ガイド情報を示した表示と、特定の断面画像上に操作ガイド情報を示した表示とを、操作者からの要求に応じて切り替える。これにより、操作者は、例えば、各断面画像上に操作ガイド情報を示した表示をアウトラインとし、特定の断面画像上に操作ガイド情報を示した表示を詳細手順として、利用できるようになる。
【０１２４】
ここで、例えば、ガイド機能１６ｂは、実施例１で説明した例と同様に、各グラフィックを同時に表示した後に、各操作が行われた時点で、対応するグラフィックを非表示にしてもよいし、表示したグラフィックに対応する操作が全て完了するまでの間は、各グラフィックの表示を継続するようにしてもよい。
【０１２５】
また、例えば、ガイド機能１６ｂは、操作手順に従った操作の進行状況を特定し、当該進行状況に応じて、当該操作手順に含まれる一連の操作の途中からガイドを開始するようにしてもよい。例えば、図１２に示す例のように、受付機能１６ａが複数の断面画像それぞれに対する操作を受け付ける場合に、ガイド機能１６ｂは、各断面画像上に表示した操作の順番を表すグラフィックの中から、いずれか一つのグラフィックを指定する操作を操作者から受け付ける。
【０１２６】
そして、ガイド機能１６ｂは、一つのグラフィックを指定する操作を受け付けた場合には、例えば、操作者によって指定されたグラフィックの手順より前の手順のグラフィックを非表示とし、操作者によって指定されたグラフィックの手順以降の手順のグラフィックについて、新たに「１」から順に番号を振り直して表示をし直す。これにより、操作者は、例えば、心臓の検査において、左室系の断面画像については撮像位置の調整が不要だった場合に、右室系の断面画像から調整を行うというように、効率よく操作を行うことができるようになる。
【０１２７】
また、例えば、受付機能１６ａが、操作者の要求に応じて操作画面のレイアウトを変更する機能を有する場合には、ガイド機能１６ｂは、変更されたレイアウトに応じて、操作ガイド情報を表示する位置を変えるようにしてもよい。
【０１２８】
例えば、受付機能１６ａは、図１４の（ａ）〜（ｄ）に示すように、操作者の要求に応じて、診断や検査の種類に応じた配置で各画像を表示する。例えば、図１４の（ａ）に示す例は、左心診断用のレイアウトの一例である。また、図１４の（ｂ）に示す例は、左室診断用のレイアウトの一例であり、図１４の（ｃ）に示す例は、右室診断用のレイアウトの一例である。また、図１４の（ｄ）に示す例は、血液の逆流の有無を判別するフロー検査用のレイアウトの一例である。
【０１２９】
この場合に、ガイド機能１６ｂは、まず、操作手順に関連する設定内容として、操作画面５００上に表示されている各断面画像の位置を特定する。例えば、ガイド機能１６ｂは、ディスプレイ１１の表示を制御するための制御情報を参照して、各断面画像が配置されている位置を特定する。そして、ガイド機能１６ｂは、特定した各断面画像の位置に応じて、操作が行われる順番を示すグラフィックを各断面画像上に表示する。
【０１３０】
このように、実施例４では、ガイド機能１６ｂが、複数の画像のうちの一つの画像に対する操作に応じて他の画像の表示が変更される場合に、複数の画像それぞれに対して行われる操作の操作手順を示す操作ガイド情報を表示する。これにより、操作者が、各画像に対する操作を適切な操作手順で行うことができるようになる。
【０１３１】
（実施例５）
次に、実施例５として、ガイド機能１６ｂが、コンソール２０が有するディスプレイ１１と、架台８が有するディスプレイ８ａとの間にまたがって操作ガイド情報を表示する場合の例を説明する。
【０１３２】
この場合に、ガイド機能１６ｂは、架台８側で行われる操作に関する操作ガイド情報を架台８のディスプレイ８ａに表示し、コンソール２０側で行われる操作に関する操作ガイド情報をコンソール２０のディスプレイ１１に表示する。
【０１３３】
例えば、操作手順の中に、架台８側で行われる操作として投光器に対する操作が含まれていたとする。その場合に、例えば、ガイド機能１６ｂは、コンソール２０のディスプレイ１１に、架台８に設けられている撮像位置を決めるための投光器でホームポジションを設定することを指示する操作ガイド情報を表示する。また、これと同時に、ガイド機能１６ｂは、架台８のディスプレイ８ａに、投光器を設定する操作手順を示す操作ガイド情報を表示する。さらに、ガイド機能１６ｂは、架台８に設けられている操作パネルにある投光器設定ボタンを点滅表示させる。
【０１３４】
その後、例えば、ガイド機能１６ｂは、操作手順に関連する設定内容として、投光器でホームポジションが設定され、架台８のディスプレイ８ａに表示した操作手順が完了したことを特定する。そして、ガイド機能１６ｂは、操作手順が完了したことを特定した場合には、コンソール２０のディスプレイ１１に、次の操作手順を示す操作ガイド情報（例えば、撮像を開始することを示す操作ガイド情報等）を表示する。
【０１３５】
また、例えば、操作手順の中に、心電図や呼吸、脈波等と同期した撮像を行うための同期ユニット（例えば、図１に示したＥＣＧセンサ１７及びＥＣＧ回路１８）に対する操作が含まれていたとする。その場合に、例えば、ガイド機能１６ｂは、操作手順に関連する設定内容として、撮像プロトコルに同期撮像の設定がされているが、同期ユニットからの信号が検知されていないことを特定する。そして、ガイド機能１６ｂは、撮像プロトコルに同期撮像の設定がされているが、同期ユニットからの信号が検知されていないことを特定した場合には、コンソール２０のディスプレイ１１に、撮影室に入って、同期ユニットを設置することを指示する操作ガイド情報を表示する。また、これと同時に、ガイド機能１６ｂは、架台８のディスプレイ８ａに、同期ユニットを設定する操作手順を示す操作ガイド情報を表示する。
【０１３６】
その後、例えば、ガイド機能１６ｂは、操作手順に関連する設定内容として、同期ユニットの信号が検知されたことを特定する。そして、ガイド機能１６ｂは、同期ユニットの信号が検知されたことを特定した場合には、コンソール２０のディスプレイ１１に、次の操作手順を示す操作ガイド情報（例えば、撮像を開始することを示す操作ガイド情報等）を表示する。
【０１３７】
また、例えば、操作手順の中に、穿刺を行うための操作が含まれていたとする。その場合に、例えば、ガイド機能１６ｂは、コンソール２０のディスプレイ１１に、撮影室に入って、穿刺することを指示する操作ガイド情報を表示する。また、これと同時に、ガイド機能１６ｂは、架台８のディスプレイ８ａに、穿刺計画画像を示す操作ガイド情報を表示する。
【０１３８】
このように、実施例５では、ガイド機能１６ｂが、コンソール２０が有するディスプレイ１１と、架台８が有するディスプレイ８ａとの間にまたがって操作ガイド情報を表示する。これにより、操作手順に、コンソール２０側で行われる操作と、架台８側で行われる操作とが含まれている場合でも、操作者が、操作手順に沿って適切に操作を行うことができるようになる。
【０１３９】
上述したように、本実施形態では、ガイド機能１６ｂが、操作画面を介して行われる一連の操作の操作手順に従って、当該操作手順に含まれる個別の操作をガイドする操作ガイド情報を操作画面のレイアウトに応じた位置に順次表示する。これにより、操作手順を表示するために操作画面上の一部の領域を表示領域として占有してしまうようなことがなく、操作者が、操作手順の表示によって邪魔されずに操作を行うことができる。また、操作ガイド情報を操作画面のレイアウトに応じた位置に順次表示されるので、操作者が、操作ガイド情報によって誘導されて、迷わずに操作することができる。したがって、本実施形態によれば、操作画面上で表示領域を占有せずに、操作手順に沿った自然な流れで操作をガイドすることができる。
【０１４０】
また、本実施形態では、ガイド機能１６ｂは、操作手順に含まれる個別の操作が行われるごとに、当該操作手順に関連する設定内容を特定し、特定した設定内容に応じて、操作ガイド情報の内容を変更する。したがって、本実施形態によれば、操作者が、操作手順の進行状況に応じて、容易に操作を行うことができる。
【０１４１】
また、本実施形態では、ガイド機能１６ｂは、操作者が所望する操作を含む操作手順が複数ある場合に、当該操作に到達するまでの手順数が最も少ない操作手順に誘導する操作ガイド情報を表示する。したがって、本実施形態によれば、操作者が、より少ない手順で、目的を実現するための操作手順に沿って操作を行うことができる。
【０１４２】
また、本実施形態では、ガイド機能１６ｂが、操作画面のレイアウトが変更された場合に、変更されたレイアウトに応じて、操作ガイド情報を表示する位置を変える。したがって、本実施形態によれば、操作者が、ＧＵＩのプリセットによって任意のＧＵＩを任意の位置に表示させることが可能な場合のように、操作画面を任意のレイアウトに変更することが可能な場合でも、迷わずに操作を行うことができるようになる。
【０１４３】
また、本実施形態では、操作画面上でグラフィック等の操作ガイド情報が表示されるので、紙やウェブのような文書データに画面イメージを示したような恒常的な操作マニュアルが不要になり、操作画面やＧＵＩのデザイン変更に柔軟に対応することができる。
【０１４４】
また、本実施形態では、操作手順に沿って操作を自動化する場合とは異なり、操作ガイド情報に基づいて操作者によって操作が行われるので、操作者が、ＭＲＩ装置１００の操作方法を実地で習熟することができる。そのため、操作者が、操作を自動化する機能がない状況下でも検査を遂行可能な能力を得ることができる。操作を自動化する機能は、想定外の条件下、例えば、被検体の体位が通常とは異なる場合や画質が通常とは異なる場合等には、利用ができない場合もあるが、操作者が操作方法を習熟することによって、このような問題を回避できるようになる。
【０１４５】
なお、上述した実施形態では、ＭＲＩ装置について説明したが、実施形態はこれに限られない。例えば、Ｘ線ＣＴ（Computed  Tomography）装置のように、各種の機能に応じた操作画面をディスプレイ１１に表示して、操作者から各種の操作を受け付ける他の医用画像診断装置でも、同様の実施形態が実施可能である。その場合には、例えば、医用画像診断装置が有するコンソール等の処理回路が、図１に示した処理回路１６が実行する機能を有するように構成される。
【０１４６】
なお、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路に保存されたプログラムを読み出して実行することで、機能を実現する。なお、記憶回路にプログラムを保存する代わりに、プロセッサの回路内にプログラムを直接組み込むように構成しても構わない。この場合には、プロセッサは回路内に組み込まれたプログラムを読み出して実行することで機能を実現する。また、上述した実施形態の各プロセッサは、プロセッサごとに単一の回路として構成される場合に限らず、複数の独立した回路を組み合わせて一つのプロセッサとして構成され、その機能を実現するようにしてもよい。さらに、図１における複数の構成要素を１つのプロセッサに統合して、その機能を実現するようにしてもよい。
【０１４７】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、後述する各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１４８】
以上説明した少なくとも一つの実施形態及び実施例に係る医用画像診断装置及び磁気共鳴イメージング装置によれば、操作画面上で表示領域を占有せずに、操作手順に沿った自然な流れで操作をガイドすることができる。
【０１４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５０】
１００  磁気共鳴イメージング装置
１６  処理回路
１６ａ  受付機能
１６ｂ  ガイド機能
【図１】
2019005470.tif 000003
【図２】
2019005470.tif 000004
【図３】
2019005470.tif 000005
【図４】
2019005470.tif 000006
【図５】
2019005470.tif 000007
【図６】
2019005470.tif 000008
【図７】
2019005470.tif 000009
【図８】
2019005470.tif 000010
【図９】
2019005470.tif 000011
【図１０】
2019005470.tif 000012
【図１１】
2019005470.tif 000013
【図１２】
2019005470.tif 000014
【図１３】
2019005470.tif 000015
【図１４】
2019005470.tif 000016